(57)【要約】【課題】排泄の際にうさぎにストレスを低減できるうさぎ用トイレを提供する。【解決手段】上部が開口し、平面視で底面形状が正方形に形成された底面１２と、前記底面の４辺から立ち上がる側壁１５，１６とを備え、前記側壁１５，１６のうち１つの頂点に隣接する２辺の側壁１５には、該頂点付近に、他の側壁１６よりも高い高壁部が形成されている。【選択図】図１
2018102177.tif 000002
【特許請求の範囲】
【請求項１】
上部が開口し、平面視で底面形状が正方形に形成された底面と、
前記底面の４辺から立ち上がる側壁とを備え、
前記側壁のうち１つの頂点に隣接する２辺の側壁には、該頂点付近に、他の側壁よりも高い高壁部が形成されていることを特徴とするうさぎ用トイレ。
【請求項２】
前記底面の上方に、通水性底板を備える請求項１に記載のうさぎ用トイレ。
【請求項３】
前記高壁部を有しない側壁の高さは、３０ｍｍ〜６０ｍｍに形成されている請求項１または２に記載のうさぎ用トイレ。
【請求項４】
前記高壁部を有する側壁には、前記うさぎ用トイレをケージに連結する連結具を備えている請求項１〜３のいずれかに記載のうさぎ用トイレ。
【請求項５】
前記側壁の辺の長さは、２００ｍｍ〜３００ｍｍに形成されている請求項１〜４いずれかに記載のうさぎ用トイレ。
【発明の詳細な説明】
【技術分野】
【０００１】
本発明は、うさぎの排泄物処理のためのうさぎ用トイレに関する。
【背景技術】
【０００２】
従来、うさぎ用トイレは、ケージ内のスペースを有効利用するため、ケージの角部に配置されるものが一般的であり、上部が開口し、平面視で底面形状が直角三角形状の容器が広く普及している（特許文献１参照）。
【０００３】
このうさぎ用トイレに設置されるシーツは、容器の底面形状に合わせた直角三角形のものが知られている（特許文献１参照）。
【先行技術文献】
【特許文献】
【０００４】
【特許文献１】特許第５８０８４４４号公報
【発明の概要】
【発明が解決しようとする課題】
【０００５】
しかしながら、うさぎは、壁際等の隅っこにお尻を向けて排泄をする習慣があるため、このような直角三角形状の容器では、うさぎの前足が容器からはみ出し、無理な姿勢での排泄をしていた。
【０００６】
また、このような直角三角形シーツでは主に直角部付近が汚れる。この直角部付近の吸水力が限界に至れば、同じシーツの他の部分がまだ吸水できる状態にあったとしても、他のシーツに交換していた。
【０００７】
そこで、本発明は、排泄の際にうさぎのストレスを低減でき、より長く使えるうさぎ用シーツに対応したうさぎ用トイレの提供を目的とする。
【課題を解決するための手段】
【０００８】
［１］上部が開口し、平面視で底面形状が正方形に形成された底面と、
前記底面の４辺から立ち上がる側壁とを備え、
前記側壁のうち１つの頂点に隣接する２辺の側壁には、該頂点付近に、他の側壁よりも高い高壁部が形成されていることを特徴とするうさぎ用トイレ。
【０００９】
［２］前記底面の上方に、通水性底板を備える前項１に記載のうさぎ用トイレ。
【００１０】
［３］前記高壁部を有しない側壁の高さは、３０ｍｍ〜６０ｍｍに形成されている前項１または２に記載のうさぎ用トイレ。
【００１１】
［４］前記高壁部を有する側壁には、前記うさぎ用トイレをケージに連結する連結具を備えている前項１〜３のいずれかに記載のうさぎ用トイレ。
【００１２】
［５］前記側壁の辺の長さは、２００ｍｍ〜３００ｍｍに設定されている前項１〜４いずれかに記載のうさぎ用トイレ。
【発明の効果】
【００１３】
前項［１］の発明によると、上部が開口し、平面視で底面形状が正方形に形成された底面と、前記底面の４辺から立ち上がる側壁とを備え、前記側壁のうち１つの頂点に隣接する２辺の側壁には、該頂点付近に、他の側壁よりも高い高壁部が形成されているため、うさぎは、高壁部を有する側壁の角部にお尻を向けて排出するが、このとき対向位置の角部までの距離が長いため、うさぎの前足が容器からはみ出ずに、容器内に置けるのでストレスを感じることなく、排泄行為をすることができる。
【００１４】
また、うさぎは、高壁部を有する側壁の角部を隅っこと思い込んで、この高壁部を有する角部にお尻を向けて排泄をすることにより、排泄物が高壁部を有する側壁に当たって、容器外に排泄物が飛び散るのを防止できる。
【００１５】
また、底面形状が正方形に形成されているため、本発明は正方形のシート状に形成された吸収体を有するうさぎ用シーツの形状に対応しており、このうさぎ用シーツを回転して使用できる。このため、１枚のシーツで四隅全て使用でき、ひいてはシーツをより長く使うことができる。
【００１６】
前項［２］の発明によると、前記底面の上方に、通水性底板を備えるため、シーツや砂等が敷かれるトイレの底面が下底、通水性底板が上底となって二重底を形成される。これにより、小動物が通水性底板の上で排泄した排泄物は、通水性底板の隙間からトイレの底面に落下して砂やシーツに吸収され、通水性底板の上に排泄物がたまることなく清潔に保つことができる。
【００１７】
前項［３］の発明によると、前記高壁部を有しない側壁の高さは、３０ｍｍ〜６０ｍｍに形成されているため、うさぎが乗り降りし易く、うさぎがうさぎ用トイレに移動する際に出入り負担を軽減することができ、ひいては加齢等で運動能力が低下したうさぎでもうさぎ用トイレ１を利用できるにようになる。
【００１８】
前項［４］の発明によると、前記高壁部を有する側壁には、前記うさぎ用トイレをケージに連結する連結具を備えているため、うさぎ用トイレをケース等の固定することができ、ひいては意図しない時にうさぎ用トイレがずれたりするのを防止できる。
【００１９】
前項［５］の発明によると、前記側壁の辺の長さが２００ｍｍ〜３００ｍｍに形成されているため、対向位置の角部までの距離がうさぎの全長が収まる長さとなり、より確実にうさぎの前足が容器からはみ出ずに、容器内に置けるのでストレスを感じることなく、排泄行為をすることができる。
【図面の簡単な説明】
【００２０】
【図１】本発明の一実施形態に係るうさぎ用トイレの斜視図である。
【図２】同うさぎ用トイレの分解図である。
【発明を実施するための形態】
【００２１】
以下、図面を参照して、本発明の一実施形態について説明する。
【００２２】
図１および２に示すように、うさぎ用トイレ１は、樹脂製の容器１０と、小動物が乗って排泄する通水性底板２０とにより構成されている。
【００２３】
図１および２に示すように、容器１０は、辺の長さが２００ｍｍ〜３００ｍｍに設定され、底面１２形状が正方形状に形成されている。この容器１０は、正方形の底面１２の４辺から立ち上がる側壁１５，１６が形成され、容器１０の上面は開口している。側壁１５，１６のうち１つの頂点に隣接する２辺の側壁１５には、該頂点付近に、他の側壁１６よりも高い高壁部（側壁１５）が形成されている。
【００２４】
高壁部を有する側壁１５の高さは、頂点付近が最も高く、該頂点付近から隣接する他の頂点に向かって徐々に低くなっている。また、側壁１５，１６の上縁は高壁部を有す側壁１５から高壁部を有しない側壁１６に向かってなだらかな曲線状に形成されている。高壁部を有する側壁１５の外面には、うさぎ用トイレ１を、ケージ等に連結するための連結具が備えられている。
【００２５】
高壁部を有しない側壁１６は、高さがほぼ一定で、中央が凹部状に形成されている。この高壁部を有しない側壁１６の高さは、うさぎが乗り越えられる程度に低く設定されており、具体的には、３０ｍｍ〜６０ｍｍに設定され、うさが乗り降りし易い高さとなっている。高壁部を有しない側壁１６には、中央の凹部に側壁１６の一部を切り欠いて係止部１４が形成され、該係止部１４の左右両端部に溝１４ａが形成されている。
【００２６】
図１および２に示すように、通水性底板２０は、容器１０の底面１２形状に対応する正方形のワイヤパネルで構成されている。この通水性底板２０の平面形状は正方形に形成されている。通水性底板２０の一辺の中央には、下向きに突出するフック２１が延設され、通水性底板２０の裏面の四隅付近には、それぞれ脚２２を有している。
【００２７】
通水性底板２０のフック２１は容器１０の係止部１４の溝１４ａに引っかけられ、脚２２は底面１２に接地されることにより、通水性底板２０は容器１０に着脱可能に装着される。この通水性底板２０の装着により、容器１０の上面開口部は通水可能に閉塞されるとともに、容器１０の底面１２と通水性底板２０との間に脚２２の高さに対応する空間を有する二重底が形成される。容器１０の底面１２が二重底の下底となり、通水性底板２０が上底となる。下底である容器１０の底面１２には砂やシーツが敷かれ、小動物が通水性底板２０上で排泄すると排泄物がワイヤの隙間から下に落ちて砂やシーツに吸収される。これにより、通水性底板２０上は排泄物がたまることがなく、清潔に保つことができる。
【００２８】
図２に示すように、上述したうさぎ用トイレ１は、以下の手順で組み立てられる。
【００２９】
まず、容器１０の底面１２にはうさぎの排泄物を吸収する砂やシーツが敷かれる。この際、容器１０の底面１２の形状（正方形）に対応する形状、すなわち平面視正方形状のシーツが好ましい。その上から通水性底板２０の４つの脚２２がシーツ３０を上から押させるように配置される。この時に、通水性底板２０のフック２１は容器１０の係止部１４の溝１４ａに引っかけられ、脚２２は底面１２に接地させられて、通水性底板２０は容器１０に装着させられる。この通水性底板２０上でうさぎが排泄すると、排泄物がワイヤの隙間から下に落ちて砂やシーツに吸収される。なお、このシーツ３０を使用する場合は、シーツ３０は例えば容器１０の底面１２とほぼ同じか少し大きめに形成されているものを採用しても良い。
【００３０】
なお、このうさぎ用トイレ１（容器１０）は、例えば平面視正方形または平面視長方形のケージの角部に設置されて使用される。この容器１０は、高壁部を有する側壁１５にそなえられた連結具を用いて、ケージに固定される。
【００３１】
本実施形態は以下の効果を奏することができる。
【００３２】
上記実施形態によると、上部が開口し、平面視で底面形状が正方形に形成された底面１２と、底面１２の４辺から立ち上がる側壁１５，１６とを備え、前記側壁１５，１６のうち１つの頂点に隣接する２辺の側壁１５には、該頂点付近に、他の側壁よりも高い高壁部が形成されているため、うさぎは、高壁部を有する側壁の角部１１にお尻を向けて排出するが、このとき対向位置の角部１１までの距離が長いため、うさぎの前足が容器１０からはみ出ずに、容器１０内に置けるのでストレスを感じることなく、排泄行為をすることができる。
【００３３】
また、うさぎは、高壁部を有する側壁１５の角部を隅っこと思い込んで、この高壁部を有する側壁１５の角部にお尻を向けて排泄をすることにより、排泄物が高壁部を有する側壁１５に当たって、容器外に排泄物が飛び散るのを防止できる。
【００３４】
また、底面１２形状が正方形に形成されているため、本実施形態は正方形のシート状に形成された吸収体を有するうさぎ用シーツの形状に対応しており、このうさぎ用シーツを回転して使用できる。
【００３５】
上記実施形態によると、前記側壁の辺の長さが２００ｍｍ〜３００ｍｍに設定されているため、対向位置の角部までの距離がうさぎの全長が収まる長さとなり、より確実にうさぎの前足が容器からはみ出ずに、容器内に置けるのでストレスを感じることなく、排泄行為をすることができる。
【００３６】
上記実施形態によると、高壁部を有しない側壁１６の高さは、うさぎが乗り越えられる程度に低く設定されており、具体的には、３０ｍｍ〜６０ｍｍに設定されており、うさが乗り降りし易い高さとなっている。このため、うさぎがうさぎ用トイレに移動する際に出入り負担を軽減することができ、ひいては加齢等で運動能力が低下したうさぎでもうさぎ用トイレ１を利用できる。また、高壁部を有する側壁１５が高く形成されていることにより、側壁１５の角部１１をうさぎに隅っこであることを認識させてお尻を向けさせ、排泄物の飛び散りを防いでいる。
【００３７】
上記実施形態によると、底面１２の上方に、通水性底板２０を備えるため、シーツや砂等が敷かれるトイレの底面１２が下底、通水性底板２０が上底となって二重底を形成される。これにより、小動物が通水性底板の上で排泄した排泄物は、通水性底板の隙間からトイレの底面に落下して砂やシーツに吸収され、通水性底板の上に排泄物がたまることなく清潔に保つことができる。
【００３８】
上記実施形態によると、高壁部を有する側壁１５の外面には、うさぎ用トイレ１をケージ等に連結するための連結具が備えられているため、うさぎ用トイレをケース等の固定することができ、ひいては意図しない時にうさぎ用トイレがずれたりするのを防止できる。
【００３９】
以上、本発明を一実施形態に基づいて説明してきたが、本発明は上記実施形態に限定されるものではなく、その発明の範囲で適宜変更であり、以下のように構成しても良い。
【００４０】
（１）上記実施形態では、通水性底板２０はメッシュパネルとしたが、その他の通水性底板として、例えば複数枚の平板を少しずつ隙間を開けて並べた簀の子や、パンチングメタルを採用できる。また、通水性底板２０の素材については、金属製または樹脂製のいずれでも良い。
【００４１】
（２）上記実施形態では、隣接する２辺の側壁１５は高く、対角の隣接する２辺の側壁１６は低く設定されているとしたが、隣接する３辺の側壁が高く、残り１辺の側壁が低く設置されていても良い。
【符号の説明】
【００４２】
１  うさぎ用トイレ
１０  容器  
１１  角部
１２  底面
１４  係止部
１４ａ  溝
１５  側壁
１６  側壁
２０  通水性底板
２１  フック
２２  脚
３０  シーツ
【図１】
2018102177.tif 000003
【図２】
2018102177.tif 000004